(57)【要約】【課題】髪のトリートメントその他、毛髪に薬剤を浸透させる各種の施術に最適な電動ヘアコームの提供。【解決手段】電動ヘアコーム１は複数の櫛歯を有するコーム２とグリップ４とを備え、コーム２の一端をグリップ４端に取り付け、グリップ４に内蔵された電動式の駆動機構３に作動連結して、コーム２を櫛歯２１の配列方向に往復運動させる形式で、コーム２の櫛歯２１の１ピッチに髪を梳くのに適した所定の長さが選定され、コーム２の往復運動の振幅を略櫛歯２１の１ピッチ分に、往復運動の回数を毎秒４０〜５０回の範囲に設定される。【選択図】図１
2008194252.tif 000002
【特許請求の範囲】
【請求項１】
複数の櫛歯を有するコームと、グリップとを備え、前記コームの一端を前記グリップ端に取り付け、前記グリップに内蔵された電動式の駆動機構に作動連結して、前記コームを前記櫛歯の配列方向に往復運動させる電動ヘアコームにおいて、
前記コームの櫛歯の１ピッチに髪を梳くのに適した所定の長さが選定され、
前記コームの往復運動の振幅を略櫛歯の１ピッチ分に、往復運動の回数を毎秒４０〜５０回の範囲に設定されることを特徴とする電動ヘアコーム。
【発明の詳細な説明】
【技術分野】
【０００１】
本発明は、電動ヘアコームに関し、特に、髪のトリートメント、前処理、パーマ、カラーなど、毛髪に薬剤を浸透させる施術に使用する電動ヘアコームに関する。
【背景技術】
【０００２】
一般に、髪は、パーマをかけたりカラーを入れたり、またドライヤーの熱や紫外線などの外的刺激を受けたりすることで、外部的にあるいは内部的に傷むことが多い。このような場合、髪をトリートメントすることにより、髪が修復され、改善されることが知られている。このトリートメントの施術は、髪の外部を修復、改善する手法（具体的には、髪の表面にシリコンやＰＰＴ（髪の成分に近いといわれるたんぱく質）を付着させる方法）と、髪の内部を修復、改善する手法（具体的には、髪の内部にＰＰＴ等のトリートメント液を浸透させる方法）に、大きく分けることができるが、前者の手法の場合、ドライヤーやシャンプー等の外的刺激で、髪に付着した物質が剥がれやすく、また、弱った髪の組織が一緒に剥がれるおそれもあり、後者の手法が好ましいといえる。この後者の手法で、髪にトリートメント液を浸透させる場合、まず、髪をシャンプーするなどして髪を濡らし、髪を覆っている毛表皮（キューティクル）を開かせた後、トリートメント液を髪に付着し、櫛を使用してコーミングを行い、トリートメント液を髪になじませていくのが通常である。
【０００３】
ところで、このトリートメントの施術では、髪を濡らして毛表皮を開かせた状態で、髪の内部は水分が十分な飽和状態になっていて、この状態から櫛で髪の内部に浸透している水分を排出しながら、髪の内部にトリートメント液を浸透させるため、このコーミング技術には高度の手技が必要で、美容師などの美容技術者にとっても相当のスキル（熟練度）が要求される。このため、従来から、この手技を軽減できる、コーミング用の器具の開発が待たれており、近時、この種の器具がトリートメント装置として提案され、これが特許文献１に開示された。この文献１に記載のトリートメント装置は、動作機構部を有する装置本体部と、櫛部とを備え、動作機構部が、電源部、モータ、歯車、ギア、カム部、ロッド、軸部からなり、櫛部を櫛部の長手方向に往復動させるように構成される。この場合、櫛部の櫛歯部の１ピッチを１．５ｍｍ〜２．５ｍｍの範囲から選定され、この櫛部の振幅を、２．０ｍｍ〜８．０ｍｍ、好ましくは４．０ｍｍに、往復運動の回数を毎秒１０００〜５０００回の範囲に設定される。このようにして櫛部を往復運動させ、櫛部から髪に振動を与えるようになっている。
【特許文献１】特開２００６−３０４９８８公報
【発明の開示】
【発明が解決しようとする課題】
【０００４】
しかしながら、上記従来のトリートメント装置では、既述のとおり、櫛部の往復運動の振幅を２．０ｍｍ〜８．０ｍｍ、好ましくは４．０ｍｍ、往復運動の振動回数を１０００〜５０００回／秒の設定で、櫛部を往復運動させているが、この範囲の振幅と振幅回数の組み合せによる櫛部の動きでは、毛髪にトリートメント液を浸透させてはいるものの、このときの振動が毛髪に対しては過度の圧力（衝撃）になって、毛髪を外部的にあるいは内部的に傷めてしまうという問題がある。また、このトリートメント装置では、髪のトリートメントの施術の他、前処理、パーマ、カラーなど、毛髪に薬剤を浸透させる各種の施術において適用しても、同様の問題がある。
【０００５】
本発明は、このような従来の課題を解決するもので、髪のトリートメント、前処理、パーマ、カラーなど、毛髪に薬剤を浸透させる各種の施術において、毛髪を外部的にあるいは内部的に傷めることなく、薬剤を毛髪の内部に十分に浸透させることのできる電動ヘアコームを提供することを目的とする。
【課題を解決するための手段】
【０００６】
上記目的を達成するために、本願発明者は、コーム（櫛）の櫛歯ピッチと、コームを往復運動させる際の振幅及び振動回数との関連を鋭意研究し、トリートメントの施術の他、前処理、パーマ、カラーなど、毛髪に薬剤を浸透させる各種の施術においても、薬剤を毛髪の内部に十分に浸透させるのに必要で、かつ毛髪を外部的にあるいは内部的に傷めることのないコームの動きを見い出し、本願発明の創作に至ったものである。そして、本願発明の電動ヘアコームは、複数の櫛歯を有するコームと、グリップとを備え、前記コームの一端を前記グリップ端に取り付け、前記グリップに内蔵された電動式の駆動機構に作動連結して、前記コームを前記櫛歯の配列方向に往復運動させる電動ヘアコームにおいて、前記コームの櫛歯の１ピッチに髪を梳くのに適した所定の長さが選定され、前記コームの往復運動の振幅を略櫛歯の１ピッチ分に、往復運動の回数を毎秒４０〜５０回の範囲に設定されることを要旨とする。
【発明の効果】
【０００７】
本発明の電動ヘアコームは、上記の構成により、コームの往復運動の振幅を略櫛歯１ピッチ分に、往復運動の振動回数を４０〜５０回／秒の設定で櫛部を往復運動させることにより、毛髪に対して最適な圧力を加えることができ、髪のトリートメント、前処理、パーマ、カラーなど、毛髪に薬剤を浸透させる各種の施術において、毛髪を外部的にあるいは内部的に傷めることなしに、薬剤を毛髪の内部に十分に浸透させることができるという効果を奏する。
【発明を実施するための最良の形態】
【０００８】
図１乃至図☆に、この発明の一実施の形態を示している。図１に示すように、電動ヘアコーム１は、複数の櫛歯２１を有するコーム２と、電動式の駆動機構３を内蔵されたグリップ４とを備え、コーム２の一端をグリップ４端に取り付け、電動式の駆動機構３に作動連結して、コーム２を往復運動させるようになっている。以下、各部について詳しく説明する。
【０００９】
図２に示すように、コーム２は一般的な櫛の形状に構成され、フレーム２２と複数の櫛２１とを有する。フレーム２２は略コ字形に形成されて、横方向（グリップ４の長さ方向）に延び、下部に複数の櫛歯２１を一体に形成されるフレーム本体２２１と、このフレーム本体２２１の基端部及び先端部にそれぞれ、縦方向に略櫛歯状に延びる基端側及び先端側の端部フレーム２２２、２２３とからなる。複数の櫛歯２１はフレーム本体２２１の下部から下方に向けて突出され、基端側の端部フレーム２２２と先端側の端部フレーム２２３との間に一列に並べて形成される。この場合、各櫛歯２１はこの種のコームに一般的に要求される（髪を梳くのに適した）所定の太さ、長さ及び形状に形成され、櫛歯２１の１ピッチ（各櫛歯２１の中心軸間の長さ）にこの種のコームに一般的に要求される（髪を梳くのに適した）所定の長さ（距離）、ここでは１．５ｍｍ〜２．５ｍｍの範囲から設定されて等間隔に構成される。また、このコーム２には、一端に櫛歯２１の配列方向とは（正）反対の方向に取付軸２３が突設される。この場合、フレーム２２のフレーム本体２２１の基端側からフレーム本体２２１の延びる方向とは（正）反対の方向に向けて先細の略（円）筒状に形成され、この筒状部２２４の先端に取付軸２３が一体的に挿着されてこの筒状部２２４端から直状に突出される。この取付軸２３にはグリップ４に対する接続部材２４が取り付けられる。この場合、接続部材２４は略弾丸形状の外形を有する略筒状に形成され、先細の先端に取付軸の取付穴２４１が設けられ、大径の後端開口の中心に、後述するグリップ４の先端から突出される駆動軸３７が嵌合可能な接続口２４２が一体に設けられる。この接続部材２４は、先端の取付穴２４１にコーム２の取付軸２３が差し込まれて、コーム２に固定される。
【００１０】
図２に示すように、グリップ４は、グリップケース４０と、電動式の駆動機構３とからなる。グリップケース４０は本体４１が手に持ちやすい細長い円筒形状に形成され、本体４１の後端部は、円形の平面形状のキャップ４２が取り付けられて閉塞され、本体４１の先端部は、先端中心に駆動軸３７を挿通するための略円形の開口４３を有し、全体が略半球形状のキャップ４４が取り付けられて閉塞される。このグリップ４に内蔵される電動式の駆動機構３には、モータ駆動形式、電磁駆動形式など、各種の駆動形式が採用される。
【００１１】
図３に示すように、ここで、電動式の駆動機構３は、前者の駆動形式の１形式が採用されており、電源部３１、モータ３２、歯車３３、ギア３４、カム３５、ロッド３６、軸３７などにより構成され、これらが順次、グリップケース４０の内部に後部側から組み込まれている。グリップケース４０の後部に電源部３１が設けられる。この場合、電源部３１は、モータ３２に電源を供給するためのもので、例えば、蓄電池や充電池などが用いられる。電源部３１の前側にモータ３２が設けられる。このモータ３２は所定の出力(回転数)を有する小型のモータで、出力軸をグリップケース４０の中心軸上で先端方向に向けて設置される。このモータ３２の出力軸に、歯車３３が取り付けられる。なお（図２参照）、このグリップケース４０の外周面先端側の所定の位置には、モータ３２の動作をОＮするОＮボタン５１、モータ３２の動作をОＦＦするОＦＦボタン５２、押している間モータ３２の動作を一時的に停止するポーズボタン５３などの操作ボタン５が設けられる。モータ３２の前側にギア３４が設けられる。このギア３４は、円形の本体部３４０と、本体部３４０の周縁部に本体部３４０の面に対して直角方向に突出される歯部３４１とを有し、本体部３４０の中心に回転軸部３４２が固定される。このようにしてギア３４は、回転軸部３４２がグリップケース４０の中心軸に対して直角の方向に向けられて、グリップケース４０内に回転自在に支持され、歯部３４１がモータ３２の歯車３３と歯合される。このギア３４にカム３５が設けられる。この場合、カム３５はギア３４に対してその回転軸部３４２とは偏心した位置に固定される。このカム３５は円柱状に形成され、ギア３４の本体部３４０にカム３５の軸線を回転軸部３４２の軸線に対してずれた位置に、回転軸部３４２の軸線と平行にして固定される。このカム３５にロッド３６が取り付けられる。ロッド３６は一端に環状部３６０を有し、他端がカム３５の端面（円形面）に、カム３５の回転中心（つまり、回転軸部３４２）に対してずれた位置にピン３５１を介して回転自在に連結され、これらロッド３６とカム３５とによりクランク機構が構成される。駆動軸３７はこのロッド３６に連結される。駆動軸３７は棒状の円柱状に形成され、基端に環状部３７０が設けられ、先端がコーム２の接続部材２４の接続口２４２に接続可能に、当該接続口２４２に嵌合可能な形状に形成される。この駆動軸３７は基端の環状部３７０がロッド３６の環状部３６０にピン３６１を介して連結され、先端側がグリップケース４０先端の開口４３上に図示されないガイドを介して往復運動可能に配置される。
【００１２】
このようにしてグリップ４が組み立てられ、図１に示すように、このグリップ４端にコーム２が取り付けられて、グリップ４に内蔵された電動式の駆動機構３に作動連結される。この場合、コーム２は一端の取付軸２３に固定された接続部材２４がグリップ４端の駆動軸３７に接続されて、グリップ４（電動式の駆動機構３の駆動軸３７）に着脱可能に取り付けられる。そして、この電動式の駆動機構３全体の構成により、コーム２の往復運動の振幅を略櫛歯２１の１ピッチ分に、往復運動の振動回数を４０〜５０回／秒に設定される。したがって、グリップ４の操作ボタン５をОＮ操作することにより、モータ３２(歯車３３)が回転されるとともに、ギア３４が回転し、カム３５が回転軸部３４２を中心に回転される。このカム３５に連結されたロッド３６を介して、駆動軸３７がグリップ４先端の開口４３上でグリップ４の長さ方向に向けて往復運動し（図３参照）、この駆動軸３７に接続されたコーム２は櫛歯２１の配列方向に、振幅が略櫛歯２１の１ピッチ分で、振動回数を毎秒４０〜５０回とする往復運動を行い、振動する。
【００１３】
この電動ヘアコーム１を用いてトリートメントを行う場合、まず、髪をシャンプーして濡らしたり、スチーマーを使用して髪を濡らし加温したりして、髪を覆っている毛表皮（キューティクル）を開かせる。この状態では、髪の内部には水分が十分膨潤していて飽和状態となっている。この状態から、電動ヘアコーム１を使用してトリートメントの施術を行う。まず、トリートメント液を髪に付着させる。次に、図４に示すように、電動ヘアコーム１のグリップ４を手でしっかり握り、親指で操作ボタン５を操作にして、コーム２を振動（往復運動）させる。そして、図５に示すように、このコーム２で髪をときながらトリートメント液をなじませていく。この場合、適量をスライスし、コーム２をトリートメント液の浸透を促進させたい箇所の下から入れて軽く押し上げるようにして、徐々に毛先の方にコーミングし、この動作を数回繰り返す。このコーミングでは、コーム２が振動（往復運動し、コーム２の振幅が略櫛歯２１の１ピッチ分、振動回数が毎秒４０〜５０回になっていることで、髪に好適な圧力が付与され、このコーム２の振動によって、髪の内部に飽和状態となっていた水分が効果的に排出され、毛表皮が開き、かつ、髪の内部の水分が排出された状態となるので、髪の内部にトリートメント液が有効に浸透し、トリートメント液を髪の内部に許容量だけ浸透させることができる。しかも、このコーム２に採用された往復運動、すなわち振幅が略櫛歯２１の１ピッチ分、振動回数が毎秒４０〜５０回の振動は、髪を外部的にあるいは内部的に傷めることのない、髪に最適な圧力となって、髪を外部的にあるいは内部的に傷めることのない、確実なトリートメントの施術を実現することができる。そして、パネルごとに同じ工程を繰り返すことになる。なお、スライスしたり、ブロッキングしたりする場合は、ポーズボタンを押して一時停止して作業するとよい。終了したらОＦＦボタン５２を押して、電動ヘアコーム１の動作を停止する。
【００１４】
以上説明したように、この電動ヘアコーム１では、コーム２の往復運動の振幅を略櫛歯２１の１ピッチ分に、振動回数を毎秒４０〜５０回に設定して、コーム２を振動させるようにしたことにより、毛髪に対して最適な圧力を加えることができ、髪のトリートメントの施術において、毛髪を外部的にあるいは内部的に傷めることなしに、トリートメント液を毛髪の内部に十分に浸透させることができる。
【００１５】
従来のトリートメント装置（コームの往復運動の振幅を２．０ｍｍ〜８．０ｍｍ、好ましくは４．０ｍｍ、往復運動の振動回数を１０００〜５０００回／秒の設定で、コームを往復運動させる形式）とこの電動ヘアコーム１を実際のトリートメントの施術に使用して、その性能実験を実施したところ、従来のトリートメント装置では、トリートメント液を髪の内部に十分に浸透させることができたものの、毛髪に外部的にダメージがあり、このコームの振動が毛髪に対して過度の圧力（衝撃）となっていることが確認できた。これに対して電動ヘアコーム１の場合、トリートメント液を髪の内部に十分に浸透させることができ、しかも、毛髪には外部的にも内部的にもダメージは見られず、上記のとおりの効果を確認することができた。
【００１６】
なお、上記実施の形態では、電動ヘアコーム１を髪のトリートメントに使用した場合について例示したが、髪のトリートメントの他、髪の前処理、パーマ、カラーなど、毛髪に薬剤を浸透させる各種の施術においても同様に適用することができ、毛髪を外部的にあるいは内部的に傷めることなく、薬剤を毛髪の内部に十分に浸透させることができる。
【００１７】
また、上記実施の形態では、電動式の駆動機構３を、電源部３１、モータ３２、歯車３３、ギア３４、カム３５、ロッド３６、駆動軸３７などにより構成したが、この機構には、コーム２をその櫛歯２１の配列方向に振動（往復運動）できるものであれば、どのような形式を採用してもよく、いずれの場合でも、コーム２の往復運動の振幅を略櫛歯２１の１ピッチ分に、往復運動の回数を毎秒４０〜５０回の範囲から設定することで、上記と同様の効果を得ることができる。
【図面の簡単な説明】
【００１８】
【図１】本発明の一実施の形態における電動ヘアコームの側面図
【図２】同電動ヘアコームのコームと電動式の駆動機構を内蔵されたグリップの側面図
【図３】同電動ヘアコームに採用された電動式の駆動機構の斜視図
【図４】同電動ヘアコームの使用方法を示す図
【図５】同電動ヘアコームを使った髪のコーミング方法を示す図
【符号の説明】
【００１９】
１  電動ヘアコーム
２  コーム
２１  櫛歯
２２  フレーム
２２１  フレーム本体
２２２  端部フレーム
２２３  端部フレーム
２２４  筒状部
２３  取付軸
２４  接続部材
２４１  取付穴
２４２  接続口
３  電動式の駆動機構
３１  電源部
３２  モータ
３３  歯車
３４  ギア
３４０  本体部
３４１  歯部
３４２  回転軸部
３５  カム
３５１  ピン
３６  ロッド
３６０  環状部
３６１  ピン
３７  駆動軸
３７０  環状部
４  グリップ
４０  グリップケース
４１  本体
４２  キャップ
４３  開口
４４  キャップ
５  操作ボタン
５１  ОＮボタン
５２  ОＦＦボタン
５３  ポーズボタン
【図１】
2008194252.tif 000003
【図２】
2008194252.tif 000004
【図３】
2008194252.tif 000005
【図４】
2008194252.tif 000006
【図５】
2008194252.tif 000007